【手続補正書】
【提出日】平成20年2月1日(2008.2.1)
【手続補正１】
【補正対象書類名】明細書
【補正対象項目名】００４１
【補正方法】変更
【補正の内容】
【００４１】
第１実施形態
本実施形態では、本発明の基本となる認証処理のステップについて説明する。
本実施形態において、検出手段は、例えば、認証装置などの装置を備えている。また、制御手段、記憶手段および認証手段は、認証用カードおよび装置の何れに備えられていてもよい。
図１は、本実施形態の認証処理を説明するためのフローチャートである。
【手続補正２】
【補正対象書類名】明細書
【補正対象項目名】００４８
【補正方法】変更
【補正の内容】
【００４８】
〔認証用カード１４〕
図４は、図３に示す認証用カード１４を説明するための図である。
図４に示すように、認証用カード１４は、例えば、磁気ストライプやＩＣ(Integrated Circuit)などの記憶部２０を有する。
記憶部２０は、認証用カード１４の発行時にユーザ１２ａに対して割り当てられたユーザ識別情報ＩＤ（本発明の識別情報）と、ユーザ１２ａが決定したパスワードＰＷＤが記憶されている。
【手続補正３】
【補正対象書類名】明細書
【補正対象項目名】００８１
【補正方法】変更
【補正の内容】
【００８１】
通信インタフェース部１３０ｂは、ネットワーク１８１を介して、サーバ装置１８０との間で声情報などの情報を送受信するためのインタフェースである。
記憶部１３１ｂは、例えば、ハードディスクや半導体メモリなどであり、例えば、サーバ装置１８０から受信した声情報などを記憶する。
カードアクセス部１３２は、第２実施形態において図５を用いて説明したカードアクセス部３２と同じである。
入力部１３３は、第２実施形態において図５を用いて説明した入力部３３と同じである。
生体情報検出部１３５ｂは、ユーザ１２ａの声情報を検出する。
認証部１３６ｂは、カードアクセス部１３２によって認証用カード１４から読み出されたユーザ識別情報ＩＤに対応する声情報と、生体情報検出部１３５ａによって検出された声情報とを比較し、当該比較の結果に基づいて、ユーザ１２ｂの正当性を認証する。
【手続補正４】
【補正対象書類名】明細書
【補正対象項目名】００９２
【補正方法】変更
【補正の内容】
【００９２】
以下、認証用カード２１４ａ，２１４ｂおよび処理装置２１５について説明する。
〔認証用カード２１４ａ〕
図２０は、図１９に示す認証用カード２１４ａを説明するための図である。
図２０に示すように、認証用カード２１４ａは、例えば、入出力インタフェース部２２０ａ、記憶部２２１ａおよび認証部２２２ａを有する。
ここで、記憶部２２１ａが本発明の第１の記憶手段に対応し、認証部２２２ａが本発明の第１の認証手段に対応している。
入出力インタフェース部２２０ａは、処理装置２１５との間で情報の入出力を行う。
記憶部２２１ａは、磁気ストライプやＩＣ(Integrated Circuit)などであり、認証用カード２１４ａの発行時に、ユーザ１２ａに割り当てられたユーザ識別情報ＩＤと、ユーザ１２ａが決定したパスワードＰＷＤを記憶する。
認証部２２２ａは、入出力インタフェース部２２０ａを介して処理装置２１５から入力したユーザ１２ａの検出された指紋情報と予め記憶された指紋情報とを比較し、当該比較の結果に基づいてユーザ１２ａの正当性を認証し、認証の結果を入出力インタフェース部２２０ａを介して処理装置２１５に出力する。
【手続補正５】
【補正対象書類名】明細書
【補正対象項目名】００９３
【補正方法】変更
【補正の内容】
【００９３】
〔認証用カード２１４ｂ〕
図２１は、図１９に示す認証用カード２１４ｂを説明するための図である。
図２１に示すように、認証用カード２１４ｂは、例えば、入出力インタフェース部２２０ｂ、記憶部２２１ｂおよび認証部２２２ｂを有する。
ここで、記憶部２２１ｂが本発明の第２の記憶手段に対応し、認証部２２２ｂが本発明の第２の認証手段に対応している。
入出力インタフェース部２２０ｂは、処理装置２１５との間で情報の入出力を行う。
記憶部２２１ｂは、磁気ストライプやＩＣ(Integrated Circuit)などであり、認証用カード２１４ｂの発行時に、ユーザ１２ｂに割り当てられたユーザ識別情報ＩＤと、ユーザ１２ｂが決定したパスワードＰＷＤを記憶する。
認証部２２２ｂは、入出力インタフェース部２２０ｂを介して処理装置２１５から入力したユーザ１２ｂの検出された声情報と予め記憶された声情報とを比較し、当該比較の結果に基づいてユーザ１２ｂの正当性を認証し、認証の結果を入出力インタフェース部２２０ｂを介して処理装置２１５に出力する。
【手続補正６】
【補正対象書類名】明細書
【補正対象項目名】００９５
【補正方法】変更
【補正の内容】
【００９５】
記憶部２３１は、例えば、ハードディスクや半導体メモリなどであり、各々のユーザについての指紋情報および声情報を記憶している。
具体的には、記憶部２３１は、図２３に示すように、ユーザ１２ａの指紋情報と、ユーザ１２ｂの声情報とを記憶している。
カードアクセス部２３２は、接触式あるいは非接触式で、認証用カード２１４ａ，２１４ｂの記憶部２２１ａ，２２１ｂから、ユーザ識別情報ＩＤを読み出すと共に、認証用カード２１４との間で所定の情報を入出力する。
入力部２３３は、例えば、キーボードやタッチパネルなどであり、ユーザ１２ａ，１２ｂがパスワードＰＷＤを入力するために用いられる。
生体情報検出部２３５ａは、ユーザの指紋情報を検出する。
生体情報検出部２３５ｂは、ユーザの声情報を検出する。
処理部２３６は、認証用カード２１４ａ，２１４ｂから入力した認証の結果に基づいて、例えば、口座引き落とし処理や、取り引き処理などを行う。
【手続補正７】
【補正対象書類名】明細書
【補正対象項目名】０１０２
【補正方法】変更
【補正の内容】
【０１０２】
ステップＳＴ４７：
処理装置２１５の処理部２３６は、ステップＳＴ４６で入力した認証の結果に基づいて、ユーザ１２ａが正当なユーザである場合に、例えば、口座引き落とし処理や、取り引き処理などを行う。
【手続補正８】
【補正対象書類名】明細書
【補正対象項目名】０１１６
【補正方法】変更
【補正の内容】
【０１１６】
以上説明したように、認証システム３０１によれば、認証用カードの特性に応じて、複数の生体情報のなかから選択した一つの生体情報を用いてユーザ認証を行うことができる。
そのため、認証システム３０１によれば、ユーザの身体的な特質に応じて適切な生体情報を用いて、信頼性の高いユーザ認証を行うことができる。すなわち、本人を本人でないと認識（認証）したり、本人でないユーザを本人であると認識する可能性を低くできる。
なお、本実施形態では、例えば、図２９に示すように、図２８で説明したステップＳＴ５１の処理を終了した後に、生体情報の認証を行うか否かを判断する処理を認証用カードあるいは処理装置が行い（ＳＴ５０）、生体情報の認証を行うと判断された場合に図２８に示すステップＳＴ５４〜ＳＴ５８の処理を行い、生体情報の認証を行わないと判断された場合に処理を終了するようにしてもよい。
【手続補正９】
【補正対象書類名】明細書
【補正対象項目名】０１１８
【補正方法】変更
【補正の内容】
【０１１８】
入出力インタフェース部４２０は、処理装置４１５ａ，４１５ｂとの間で情報の入出力を行う。
記憶部４２１は、磁気ストライプやＩＣ(Integrated Circuit)などであり、認証用カード４１４の発行時に、ユーザ１２ａに割り当てられたユーザ識別情報ＩＤと、ユーザ１２ａが決定したパスワードＰＷＤを記憶する。
認証部４２２ａは、入出力インタフェース部４２０を介して処理装置４１５ａから入力したユーザ１２ａの検出された指紋情報と予め記憶された指紋情報とを比較し、当該比較の結果に基づいてユーザ１２ａの正当性を認証し、認証の結果を入出力インタフェース部４２０を介して処理装置４１５ａに出力する。
認証部４２２ｂは、入出力インタフェース部４２０を介して処理装置４１５ｂから入力したユーザ１２ａの検出された声情報と予め記憶された声情報とを比較し、当該比較の結果に基づいてユーザ１２ａの正当性を認証し、認証の結果を入出力インタフェース部４２０を介して処理装置４１５ｂに出力する。
【手続補正１０】
【補正対象書類名】明細書
【補正対象項目名】０１３３
【補正方法】変更
【補正の内容】
【０１３３】
〔処理装置５１５ｂ〕
処理装置５１５ｂは、例えば、銀行のＡＴＭや、パーソナルコンピュータなどに内蔵されている。
図３８は、図３６に示す処理装置５１５ｂの機能ブロック図である。
図３８に示すように、処理装置５１５ｂは、例えば、記憶部５３１、カードアクセス部５３２ｂ、入力部５３３、生体情報検出部５３５ｂおよび処理部５３６ｂを有する。
ここで、記憶部５３１、カードアクセス部５３２ｂ、入力部５３３および処理部５３６ｂの機能は、図３７を用いて説明したものと同じである。
生体情報検出部５３５ｂは、ユーザの声情報を検出する。
なお、カードアクセス部５３２ｂが本発明の第２の読み取り手段および第２の出力手段に対応し、生体情報検出部５３５ｂが本発明の第２の検出手段に対応し、処理部５３６ｂが本発明の第２の処理手段に対応している。
【手続補正１１】
【補正対象書類名】明細書
【補正対象項目名】０１４３
【補正方法】変更
【補正の内容】
【０１４３】
以上説明したように、認証システム５０１によれば、認証用カードの特性に応じて、複数の生体情報のなかから選択した一つの生体情報を用いてユーザ認証を行うことができる。
そのため、認証システム５０１によれば、ユーザの身体的な特質に応じて適切な生体情報を用いて、信頼性の高いユーザ認証を行うことができる。すなわち、本人を本人でないと認識（認証）したり、本人でないユーザを本人であると認識する可能性を低くできる。
なお、本実施形態では、例えば、図４０に示すように、図３９で説明したステップＳＴ７１の処理を終了した後に、生体情報の認証を行うか否かを判断する処理を認証用カードあるいは処理装置が行い（ＳＴ７０）、生体情報の認証を行うと判断された場合に図３９に示すステップＳＴ７４〜ＳＴ７８の処理を行い、生体情報の認証を行わないと判断された場合に処理を終了するようにしてもよい。
【手続補正１２】
【補正対象書類名】明細書
【補正対象項目名】０１４５
【補正方法】変更
【補正の内容】
【０１４５】
以下、認証用カード６１４および認証装置６１５ａ，６１５ｂについて説明する。
〔認証用カード６１４〕
図４２は、図４１に示す認証用カード６１４を説明するための図である。
図４２に示すように、認証用カード６１４は、例えば、磁気ストライプやＩＣ(Integrated Circuit)などの記憶部６２０を有する。
図４３は、記憶部６２０に記憶される情報を説明するための図である。
記憶部６２０には、認証用カード６１４の発行時に、ユーザ１２ａに割り当てられたユーザ識別情報ＩＤと、ユーザ１２ａが決定したパスワードＰＷＤと、ユーザ１２ａの暗号化された指紋情報と、ユーザ１２ａの暗号化された声情報とが記憶される。
【手続補正１３】
【補正対象書類名】明細書
【補正対象項目名】０１４６
【補正方法】変更
【補正の内容】
【０１４６】
〔認証装置６１５ａ〕
認証装置６１５ａは、例えば、銀行のＡＴＭや、パーソナルコンピュータなどに内蔵されている。
図４４は、図４１に示す認証装置６１５ａの機能ブロック図である。
図４４に示すように、認証装置６１５ａは、例えば、記憶部６３１、カードアクセス部６３２ａ、入力部６３３、生体情報検出部６３５ａおよび認証部６３６ａを有する。
ここで、カードアクセス部６３２ａが本発明の読み出し手段に対応し、生体情報検出部６３５ａが本発明の検出手段に対応し、認証部６３６ａが本発明の認証手段に対応している。
【手続補正１４】
【補正対象書類名】明細書
【補正対象項目名】０１５７
【補正方法】変更
【補正の内容】
【０１５７】
以上説明したように、認証システム６０１によれば、ユーザ１２ａは、１枚の認証用カード６１４を用いて、認証装置６１５ａでは指紋情報を用いた認証を行い、認証装置６１５ｂでは声情報を用いた認証を行うことができる。
なお、本実施形態では、例えば、図４７に示すように、図４６で説明したステップＳＴ８１の処理を終了した後に、生体情報の認証を行うか否かを判断する処理を認証装置が行い（ＳＴ８０）、生体情報の認証を行うと判断された場合に図４６に示すステップＳＴ８４〜ＳＴ８７の処理を行い、生体情報の認証を行わないと判断された場合に処理を終了するようにしてもよい。
【手続補正１５】
【補正対象書類名】図面
【補正対象項目名】図１６
【補正方法】変更
【補正の内容】
【図１６】
2002236667.tif 000001
【手続補正１６】
【補正対象書類名】図面
【補正対象項目名】図３２
【補正方法】変更
【補正の内容】
【図３２】
2002236667.tif 000002
【手続補正１７】
【補正対象書類名】図面
【補正対象項目名】図３３
【補正方法】変更
【補正の内容】
【図３３】
2002236667.tif 000003
【手続補正１８】
【補正対象書類名】図面
【補正対象項目名】図３８
【補正方法】変更
【補正の内容】
【図３８】
2002236667.tif 000004
【手続補正１９】
【補正対象書類名】図面
【補正対象項目名】図５１
【補正方法】変更
【補正の内容】
【図５１】
2002236667.tif 000005
【手続補正２０】
【補正対象書類名】図面
【補正対象項目名】図５２
【補正方法】変更
【補正の内容】
【図５２】
2002236667.tif 000006